(57)【要約】【課題】  前枠が内枠に対してガタつきなどにより、僅かに開いてしまうといった状態が生じたとしても、球払出通路における遊技球の流下を規制する規制部材によって遊技球が堰き止められるという問題を解消することが可能な遊技機を提供する。【解決手段】球払出装置１４から球受皿９に遊技球を誘導する球払出通路１５において、内枠３側の上流側通路２０の出口部２１に対して遊技球の流下を規制する規制部材４１が設けられており、前枠４には、前枠４が閉塞状態の時に規制部材４１を退避位置に設定する押圧部３４が設けられている。そして、その押圧部３４には、前枠４が閉塞状態から所定角度開放した状態の間で規制部材４１を退避位置に設定する退避維持部３５が形成されている。【選択図】  図３
2011183033.tif 000002
【特許請求の範囲】
【請求項１】
遊技盤を保持する内枠と、
前記遊技盤の前面側において前記内枠に対し開閉可能に設けられた前枠と、
前記内枠側に設けられた球払出装置と、
前記前枠側に設けられた球受皿と、
前記内枠側に設けられた上流側通路及び前記前枠側に設けられた下流側通路を含み、前記球払出装置から払い出された遊技球を前記球受皿に誘導する球払出通路と、を備え、
前記前枠が閉塞状態の時には前記下流側通路の入口部が前記上流側通路の出口部に隣接して配置されて前記球払出通路が連続し、前記前枠が開放状態の時には前記下流側通路の入口部が前記上流側通路の出口部から離間して前記球払出通路が分断される遊技機であって、
前記内枠には、前記上流側通路の出口部を閉鎖して遊技球の流下を堰き止める規制位置と、該上流側通路の出口部を開放して遊技球の流下を許容する退避位置との間を変位する規制部材と、
前記規制部材を前記規制位置に向けて付勢する付勢手段と、が設けられ、
前記前枠には、該前枠が閉塞状態の時に前記規制部材を前記付勢手段の付勢力に抗して前記退避位置に設定する押圧部が設けられ、
前記押圧部には、前記前枠が閉塞状態から所定角度開放した状態の間で前記規制部材を退避位置に設定する退避維持部が形成されていることを特徴とする遊技機。
【請求項２】
前記押圧部の退避維持部は、前記前枠が開閉する回動軸線を中心とする円筒外周面となるように形成されている請求項１に記載の遊技機。
【請求項３】
前記規制部材は、前記退避位置に設定されるときに前記押圧部が当接する当接部を備え、
前記押圧部の退避維持部は、前記前枠が閉塞状態のとき、前記当接部を円筒外周面の中途位置で当接するように形成されている請求項２に記載の遊技機。
【発明の詳細な説明】
【技術分野】
【０００１】
本発明は、遊技機に関する。
【背景技術】
【０００２】
パチンコ機などの遊技機には、額縁状の外枠に対して内枠が開閉可能に組み付けられ、該内枠にヒンジを介して前枠が開閉可能に配置されている。また、内枠の前面側には、遊技盤が着脱可能に組み付けられ、前枠には球受皿が設けられている。球受皿は、遊技球を一時的に貯留し、該貯留した遊技球を内枠に設けられる球発射装置の発射位置へ誘導する。そして、前枠には球発射ハンドルが設けられ、該球発射ハンドルの操作により球発射装置を作動させる。
【０００３】
また、内枠の背面側には図柄表示装置の画像処理基板や、パチンコ機の動作を制御する主制御基板などを含む制御ユニットが組み付けられている。また、遊技場の遊技機島から供給された遊技球を貯留する補給タンク、補給タンクの遊技球を下流側へ誘導するタンクレール、タンクレールから球圧を分散させながら流下させる球通路、球通路より供給された遊技球を、所定の条件に基づいて賞球・貸球として遊技球を払い出す球払出装置が設けられている。球払出装置から球払出通路を経て払出口より払い出された遊技球は前枠に設けられた球受皿に一時的に貯留される。
【０００４】
遊技者が遊技中に、スタッフが球詰りの解消やパチンコ機の点検をするために前枠を開放する場合がある。このとき、球受皿が遊技球で満杯で球払出通路まで遊技球で満たされていたり、入賞により賞球の払出し動作が行われていたりすると、球払出通路を流下、或いは停留している遊技球が床などに零れ落ちる可能性があるため、該遊技球が零れ落ちないように、前枠が閉塞状態の時には球払出通路の遊技球の流下を許容し、前枠が開放状態の時には球払出通路の遊技球の流下を堰き止める規制部材（球零れ防止機構）が配設される。
【先行技術文献】
【特許文献】
【０００５】
【特許文献１】特開２００７−２９３０４号公報
【発明の概要】
【発明が解決しようとする課題】
【０００６】
特許文献１に記載の遊技機は、２つの賞球排出口（払出口）の下縁に両賞球排出口（払出口）に跨る１枚のシャッター板（規制部材）を上下にスライド可能に設け、該シャッター板（規制部材）を常には上向きに付勢する付勢部材を設けると共に、前板（前枠）が閉じられたとき該前板（前枠）に衝突することで該シャッター板（規制部材）を付勢部材の弾性に抗して下降させ両賞球排出口（払出口）を開口させるカンチレバーを遊技機本体（内枠）の前面に突出させて配置して、前板（前枠）の開放時の球零れを防止するものである。
【０００７】
しかしながら、特許文献１に記載の遊技機のように、前板が閉じられたときにシャッター板を下降させるカンチレバーに前板が直接的に衝突する構成では、前板が閉じられた状態において前板とカンチレバーとが当接された状態で保持されるため、前板の開閉動作とシャッター板のスライド動作とがカンチレバーを介して連動することとなり、仮に前板の組み付けのガタつきや、遊技者が遊技に熱中するあまり前板に衝撃や振動を与えたことによって、該前板が僅かに開いてしまうといった状態が発生すると、シャッター板が付勢部材の付勢力により、賞球排出口の下縁から僅かにでも突出して遊技球を堰き止めてしまう虞がある。すなわち、遊技者が遊技中の場合には、入賞により払い出された遊技球（賞球）が球受皿にスムーズに払い出されず、さらには堰き止められてしまう問題が発生する可能性がある。
【０００８】
本発明は、上記実情に鑑みてなされたものであり、仮に前枠が内枠に対してガタつきなどにより、僅かに開いてしまうといった状態が生じたとしても、球払出通路における遊技球の流下を規制する規制部材によって遊技球が堰き止められるという問題を解消することが可能な遊技機を提供することにある。
【課題を解決するための手段】
【０００９】
上記課題を解決するために、本発明の遊技機は、
遊技盤を保持する内枠と、
遊技盤の前面側において内枠に対し開閉可能に設けられた前枠と、
内枠側に設けられた球払出装置と、
前枠側に設けられた球受皿と、
内枠側に設けられた上流側通路及び前枠側に設けられた下流側通路を含み、球払出装置から払い出された遊技球を球受皿に誘導する球払出通路と、を備え、
前枠が閉塞状態の時には下流側通路の入口部が上流側通路の出口部に隣接して配置されて球払出通路が連続し、前枠が開放状態の時には下流側通路の入口部が上流側通路の出口部から離間して球払出通路が分断される遊技機であって、
内枠には、上流側通路の出口部を閉鎖して遊技球の流下を堰き止める規制位置と、該上流側通路の出口部を開放して遊技球の流下を許容する退避位置との間を変位する規制部材と、
規制部材を規制位置に向けて付勢する付勢手段と、が設けられ、
前枠には、該前枠が閉塞状態の時に規制部材を付勢手段の付勢力に抗して退避位置に設定する押圧部が設けられ、
押圧部には、前枠が閉塞状態から所定角度開放した状態の間で規制部材を退避位置に設定する退避維持部が形成されていることを特徴とする。
【発明の効果】
【００１０】
上記本発明の遊技機によれば、球払出装置から球受皿に遊技球を誘導する球払出通路において、内枠側の上流側通路の出口部に対して遊技球の流下を規制する規制部材が設けられており、前枠には、前枠が閉塞状態の時に規制部材を退避位置に設定する押圧部が設けられている。そして、その押圧部には、前枠が閉塞状態から所定角度開放した状態の間で規制部材を退避位置に設定する退避維持部が形成されている。これによれば、規制部材は押圧部の退避維持部によって前枠が閉塞状態から所定角度開放した状態の間で退避位置に設定（維持）されるので、仮に前枠が内枠に対してガタつきなどにより、僅かに開いてしまうといった状態（所定角度開放した状態）が生じたとしても、退避維持部により規制部材が退避位置に設定されたままで保持することが可能となり、球払出通路における遊技球の流下を規制する規制部材によって遊技球が堰き止められるという問題を解消することができる。また、前枠に振動や衝撃を受けた場合にも、規制部材には伝動されないので、安定した通路を形成することができる。
【００１１】
また、押圧部の退避維持部は、前枠が開閉する回動軸線を中心とする円筒外周面となるように形成することができる。これによれば、退避維持部が円筒外周面であるので、前枠が閉塞状態から所定角度開放した状態の間では該円筒外周面による規制部材への押圧位置（当接位置）が一定となり、安定して規制部材を退避位置で保持することが可能となる。すなわち、退避位置に設定された規制部材に対して円筒外周面をなす退避維持部が摺接する形で、前枠が閉塞状態から所定角度開放した状態の間で開閉されることとなる。
【００１２】
また、規制部材は、退避位置に設定されるときに押圧部が当接する当接部を備え、
押圧部の退避維持部は、前枠が閉塞状態のとき、当接部を円筒外周面の中途位置で当接するように形成することができる。言い換えれば、押圧部の退避維持部は、前枠が閉塞状態から所定角度だけ内枠と干渉する状態（開放とは反対側の状態）の間に対応した位置においても、規制部材を退避位置に設定可能に形成することができる。
【００１３】
これによれば、当接部の中途位置に押圧部が当接した状態で、規制部材が退避位置に設定されるので、退避維持部（押圧部）に残余部分が形成されることとなり、設計誤差などを考慮して規制部材に対する押圧部の押圧が甘くなることなく退避維持部を配置することができる。そして、前枠の閉塞状態において確実に規制部材を退避位置に設定することができる。また、規制部材が安定するので球払出通路からの遊技球の零れ落ちを抑制することができる。さらには、押圧部が規制部材を過剰に押圧することが無くなり破損を防止することができる。
【図面の簡単な説明】
【００１４】
【図１】本発明の実施形態に係る遊技機の一例を示す正面図である。
【図２】図１の遊技機の背面図である。
【図３】図１の遊技機の球皿枠（前枠）を開放した状態において概略的に球払出通路の状態を示す斜視図である。
【図４】図４（ａ）は、図３における球払出通路部分を違う方向から見た斜視図であり、図４（ｂ）は、上流側通路を正面上方方向から見た斜視図及び要部拡大図である。
【図５】内枠、上流側通路及び規制部材についての分解斜視図である。
【図６】図６（ａ）は、球払出通路が連続した状態を示す断面図であり、図６（ｂ）は、球払出通路が分断された状態を示す上流側通路の断面図である。
【図７】球払出通路が連続した状態のとき（前枠が閉塞状態）の押圧部と当接部との関係を示す底面図である。
【図８】球払出通路が連続した状態のとき（前枠が僅かに開いた状態）の押圧部と当接部との関係を示す底面図である。
【図９】球払出通路が分断された状態のときの押圧部と当接部との関係を示す底面図である。
【発明を実施するための形態】
【００１５】
以下、本発明の実施形態について図面を参照しつつ説明する。
【実施例】
【００１６】
図１及び図２に示すように、遊技機（以下、パチンコ機ともいう）１は、そのパチンコ機１の外郭を形成する額縁状の外枠２を備え、その外枠２の一側でヒンジ２ａ，２ａを介して軸支され、その前面側に向かって片開き可能（回動軸線Ｏ１周りに回動可能）に内枠３が支持されている。内枠３には、ガイドレール８により遊技領域５ａが形成された遊技盤５が装着され、その下方に球発射装置（図示せず）が設けられている。また、内枠３の一側に遊技盤５の正面を覆うガラスなどの透明板を備えた前枠４としてガラス枠６がヒンジ２ｂ，２ｂを介して開閉自在（回動軸線Ｏ１周りに回動可能）に設けられている。そして、その下方には前枠４として球皿枠７がヒンジ２ｃ，２ｃを介して開閉自在（回動軸線Ｏ１周りに回動可能）に軸支されている。球皿枠７の前面には、遊技球を貯留し、その貯留した遊技球を整流して球発射装置に供給する球受皿９が設けられている。また、この球受皿９の右下側に遊技球の発射力を調節する球発射ハンドル１０が設けられている。
【００１７】
なお、本明細書において、パチンコ機１における上下方向とは遊技盤５の盤面に沿う態様で遊技領域５ａを遊技球が流下する方向（鉛直方向）を意味する。また、左右方向とは遊技盤５の盤面に沿う態様で上下方向に直交する方向（水平方向）を意味する。また、前後方向とは遊技盤５の盤面に直交する方向（水平方向）を意味し、遊技盤５の遊技者側が前側であり、遊技盤５の奥側（遊技領域５ａの反対側）が後側である。
【００１８】
内枠３は、図２に示すように、アルミなどの金属や合成樹脂により縦長方形状で、中央に窓部１１が開設された枠状に形成されている。窓部１１の背面上方には、遊技機島の補給経路（図示せず）から補給される遊技球を貯留する補給タンク１２が設けられている。また、補給タンク１２の下流側に遊技球を整列して流下させる直線及び前後方向に屈曲形成（湾曲形成）される球誘導路１３が設けられている。また、その球誘導路１３の下流側には所定個数の遊技球を計数して払い出す球払出装置１４が設けられている。そして、その球払出装置１４の下流側には、該球払出装置１４から払出された遊技球を払出口９ａから球受皿９（図１参照）へと誘導する球払出通路１５が設けられている。
【００１９】
以下、球払出通路１５について詳しく説明する。球払出通路１５は、図３ないし図６に示すように、内枠３側に設けられる上流側通路２０と、球皿枠７（前枠４）側に設けられる下流側通路３０とを含み構成されている。上流側通路２０は、終端部分が内枠３の前面３ａで突設されて出口部２１を前方に開口している。下流側通路３０は、球皿枠７の後面７ａで突設されて入口部３１を後方及び上方に開口している。そして、球払出通路１５は、球皿枠７（前枠４）の閉塞時に下流側通路３０の入口部３１が上流側通路２０の出口部２１に隣接して配置されて通路が連続し、球皿枠７（前枠４）の開放時には下流側通路３０の入口部３１が上流側通路２０の出口部２１から離間して通路が分断される。
【００２０】
また、内枠３には、上流側通路２０の出口部２１に対応して、球皿枠７の開放時における遊技球の零れ落ちを防止するシャッター機構４０が設けられている。ここで、シャッター機構４０は、球皿枠７の開放時には、球払出通路１５における遊技球の流下を堰き止める規制状態を形成し（図３、図４及び図６（ｂ）参照）、球皿枠７の閉塞時には、球払出装置１４から払い出された遊技球の球払出通路１５における流下を許容する許容状態を形成する（図６（ａ）参照）。
【００２１】
上流側通路２０は、上述のように出口部２１が前方に向かって開口するように終端部分が形成されており、所定の上流側領域から下方に垂れ下がる垂下部２２が形成され、その垂下部２２の下端で遊技球の流下方向を前方に誘導する方向変換部２３が形成され、その方向変換部２３から前方に向けて延出される前方延出部２４が形成されている。なお、前方延出部２４は、シャッター機構４０の後述する規制部材４１が通路の底壁を形成する構成で前方に延出されている。上流側通路２０の終端部分としての垂下部２２及び方向変換部２３、前方延出部２４は、左右方向においては複数の遊技球が並んで流下又は停留可能に形成されており、垂下部２２は前後方向において、前方延出部２４は上下方向において遊技球が１個のみ流下又は停留可能に形成されている。従って、出口部２１も同様に、左右方向において複数の遊技球が並んで流下又は停留可能に形成されており、上下方向においては遊技球が１個のみ流下又は停留可能に形成されている。
【００２２】
また、上流側通路２０は、シャッター機構４０の規制部材４１の回動範囲を規制するために、垂下部２２及び方向変換部２３の後面に左右方向に沿って延びるリブ状の第１規制部２６と、前方延出部２４の側壁下端が切り欠かれることによって形成された第２規制部２７とを備えている。なお、前方延出部２４の天井壁２４ａの下流側端部内側には、ゴム板などの弾性体２５が装着されている。
【００２３】
シャッター機構４０は、図５に示すように、上流側通路２０の出口部２１を閉鎖して遊技球の流下を堰き止める規制位置（図３、図４及び図６（ｂ）参照）と、該上流側通路２０の出口部２１を開放して遊技球の流下を許容する退避位置（図６（ｂ）参照）との間を変位する規制部材４１を備えている。また、シャッター機構４０は、規制部材４１を上流側通路２０（内枠３）に対して軸支する一対の軸支部４２，４２と、規制部材４１を規制位置に向けて付勢する付勢手段としての捻じりバネ４３とを備えている。
【００２４】
規制部材４１は、図５に示すように、軸支部４２によって、遊技球の流下方向に交差する方向（例えば、左右方向）に延びる回動軸線Ｏ２周りに回動可能に固定されている。規制部材４１は、上流側通路２０の前方延出部２４の底壁を形成する平坦な上面を有する平坦壁部４１ａと、その平坦壁部４１ａに連続的に形成され方向変換部２３に沿う形で湾曲形成される湾曲壁部４１ｂと、平坦壁部４１ａ及び湾曲壁部４１ｂの両端で略扇状形態をなして形成される一対の側壁部４１ｃ，４１ｃと、その一対の側壁部４１ｃ，４１ｃに形成され軸支部４２，４２によって規制部材４１が軸支される軸部４１ｄ，４１ｄとを備えている。また、規制部材４１は、湾曲壁部４１ｂの下面側で円柱状（円筒状）に突出形成され、後述する下流側通路３０の押圧部３４に当接される当接部４１ｅを備えている（図４（ａ）参照）。
【００２５】
ここで、捻じりバネ４３は、図４（ｂ）及び図５に示すように、上流側通路２０の側壁に形成されたバネ保持部２８にコイル部分が挿通されて、上流側通路２０の側壁と規制部材４１の側壁部４１ｃとの間に配置され、そのコイル部分から延設される２本の延出アームが規制部材４１の側壁部４１ｃと上流側通路２０にそれぞれ設けられた係止部４１ｆ，２９に係止されている。従って、捻じりバネ４３が上流側通路２０の側壁と規制部材４１の側壁部４１ｃとの間に配置されるので、捻じりバネ４３の外部への露出が少なくなり、引っ掛かりやこじれ、或いは塵や埃などが進入するなどの外部影響を受けにくくすることができ、良好に規制部材４１を作動させることができる。
【００２６】
次に、下流側通路３０は、図３に示すように、払出口９ａの周縁から後方に延設される底壁３２及び一対の側壁３３，３３を備え、底壁３２が側壁３３よりも突出して延設され、後方及び上方に開口する入口部３１を形成している。入口部３１は、上流側通路２０の出口部２１を含む形で形成され、左右方向においては複数の遊技球が並んで流下又は停留可能に形成されている。なお、払出口９ａの上縁から後方に延設する天井壁を設けてもよい。
【００２７】
下流側通路３０には、図７に示すように、球皿枠７（前枠４）が閉塞状態の時に規制部材４１の当接部４１ｅに当接（押圧）し、捻じりバネ４３（付勢手段）の付勢力に抗して該規制部材４１を退避位置に設定する押圧部３４が設けられている。そして、その押圧部３４には、球皿枠７（前枠４）が閉塞状態から所定角度開放した状態の間で規制部材４１を退避位置に設定する退避維持部３５が形成されている。具体的には、押圧部３４は、底壁３２の先端部によって形成され、ヒンジ２ｃ側において面取り形状をなして形成されている。退避維持部３５は、球皿枠７が開閉する回動軸線Ｏ１を中心とする円筒外周面となるように形成されている。従って、押圧部３４は、面取り形状をなす面取り面から連続するように、回動軸線Ｏ１を中心とする円筒外周面が切り欠き形成されて退避維持部３５が構成されている。なお、図７ないし図９に示す符号Ｃの一点鎖線は、底面側から見た回動軸線Ｏ１を中心とする円弧形状の仮想線であり、球皿枠７の開閉動作により退避維持部３５の回転軌跡を示すためのものである。
【００２８】
また、退避維持部３５は、球皿枠７が閉塞状態から所定角度だけ内枠３と干渉する状態の間に対応した位置においても、規制部材４１を退避位置に設定可能に形成されている。すなわち、退避維持部３５は、図７に示すように、球皿枠７が閉塞状態のときにおいて、当接部４１ｅを退避維持部３５の中途位置で押圧するように形成されている。
【００２９】
次に、以上のような構成を有する本実施形態に係る遊技機１における、球皿枠７の開閉動作に伴う球払出通路１５及びシャッター機構４０の動作について具体的に説明する。図６（ａ）及び図７に示すように、球皿枠７が閉塞状態の時には、下流側通路３０の押圧部３４が規制部材４１の当接部４１ｅに当接して該規制部材４１を捻じりバネ４３の付勢力に抗して上流側通路２０の出口部２１を開口した状態（退避位置）で保持している。すなわち、上流側通路２０の出口部２１の前方及び下方に下流側通路３０の入口部３１が配置されて球払出通路１５が連続した状態となっており、球払出装置１４から払い出された遊技球が払出口９ａを介して球受皿９へ払い出し可能となっている。
【００３０】
なお、規制部材４１は、当接部４１ｅが押圧部３４の退避維持部３５によって当接されており、湾曲壁部４１ｂの後端部が上流側通路２０の第１規制部２６に当接して回動規制されている。従って、球皿枠７の僅かな開閉動作によって押圧部３４（退避維持部３５）が回動した場合にも、退避維持部３５において当接部４１ｅの動作が回避され、規制部材４１が出口部２１を閉鎖することや、当接部４１ｅ（規制部材４１）が破損することを防止することができる。
【００３１】
そして、球皿枠７が閉塞された状態から開放される時には、球皿枠７の開放動作に基づいて下流側通路３０が前方に移動し始め、入口部３１が上流側通路２０の出口部２１から離間していく。このとき、下流側通路３０の移動に伴い当接部４１ｅが押圧部３４に追従する形で、規制部材４１が捻じりバネ４３の付勢力によって所定角度（距離）だけ回動軸線Ｏ２周りで回動して出口部２１を閉鎖し始める。すなわち、規制部材４１が退避位置から規制位置へ向かって回動変位していく（図６（ｂ）参照）。
【００３２】
具体的には、球皿枠７が閉塞された状態では、規制部材４１は、当接部４１ｅが退避維持部３５によって保持されており、図８に示すように、球皿枠７が所定角度範囲まで開放される間は、規制部材４１が退避位置に設定されたまま維持される。そして、その所定角度範囲よりも大きく開放されると、面取りされた押圧部３４の傾斜によって上記のように該押圧部３４に当接部４１ｅが追従していき、規制部材４１が規制位置へと回動変位する。そして、図９に示すよう、規制部材４１が規制位置に移行した時点（図６（ｂ）参照）で、規制部材４１は平坦壁部４１ａが第２規制部２７に当接して回動規制されて押圧部３４と当接部４１ｅとが離間し、球払出通路１５が分断される。
【００３３】
従って、下流側通路３０が上流側通路２０から完全に離間し球払出通路１５が分断された状態となり、球受皿９が遊技球で満杯で球払出通路１５まで遊技球で満たされていたり、入賞により賞球の払出し動作が行われていたりしたときでも球払出通路１５を流下、或いは停留している遊技球が床などに零れ落ちることなく、良好に球皿枠７を開放することができる。
【００３４】
そして、球皿枠７が開放された状態から閉塞される時には、球皿枠７の閉塞動作に基づいて下流側通路３０が後方に移動し始め、入口部３１が上流側通路２０の出口部２１の隣接に配置されていく。このとき、図９に示すように、下流側通路３０の入口部３１が上流側通路２０の出口部２１の隣接に配置された状態で、押圧部３４が当接部４１ｅに当接し、さらなる下流側通路３０の移動に伴い押圧部３４が当接部４１ｅを押圧し始める。すなわち、規制部材４１を退避位置から規制位置へ向かって回動変位させ、該規制部材４１を捻じりバネ４３の付勢力に抗して回動軸線Ｏ２周りで回動させて出口部２１を開放する。
【００３５】
このとき、規制部材４１は、球皿枠７が閉塞状態となる所定角度手前で退避位置に設定された状態となり（図８参照）、その後、押圧部３４の退避維持部３５によって当接部４１ｅが当接保持されることにより、図６（ａ）及び図７に示すように、球皿枠７が閉塞され、球払出通路１５が連続した状態となる。従って、遊技球が床などに零れ落ちることなく、良好に球皿枠７を閉塞することができる。
【００３６】
本発明では遊技機の一例としてパチンコ機について説明したが、他に例えばアレンジボール遊技機、雀球遊技機等の球払出装置が設けられる遊技機に適用することができる。
【符号の説明】
【００３７】
１  パチンコ機（遊技機）
２  外枠
３  内枠
４  前枠
５  遊技盤
６  ガラス枠
７  球皿枠
８  ガイドレール
９  球受皿
９ａ  払出口
１０  球発射ハンドル
１４  球払出装置
１５  球払出通路
２０  上流側通路
２１  出口部
２２  垂下部
２３  方向変換部
２４  前方延出部
２５  弾性体
２６  第１規制部
２７  第２規制部
２８  バネ保持部
２９  係止部
３０  下流側通路
３１  入口部
３２  底壁
３３  側壁
３４  押圧部
４０  シャッター機構
４１  規制部材
４１ａ  平坦壁部
４１ｂ  湾曲壁部
４１ｃ  側壁部
４１ｄ  軸部
４１ｆ  係止部
４２  軸支部
４３  捻じりバネ（付勢手段）
Ｃ  回転軌跡
Ｏ１，Ｏ２  回動軸線
【図１】
2011183033.tif 000003
【図２】
2011183033.tif 000004
【図３】
2011183033.tif 000005
【図４】
2011183033.tif 000006
【図５】
2011183033.tif 000007
【図６】
2011183033.tif 000008
【図７】
2011183033.tif 000009
【図８】
2011183033.tif 000010
【図９】
2011183033.tif 000011